(57)【要約】【課題】小型化を実現でき、電力が一時に中断しても、データが紛失しないデータ記憶装置を提供する。【解決手段】記憶ユニットと、外部電源と電気的に接続しており、記憶ユニットの読出し／書込み操作を制御する読出し／書込み制御ユニットと、エネルギー貯蓄ユニットと、外部電源、記憶ユニット及びエネルギー貯蓄ユニットと電気的に接続している電源切替ユニットと、エネルギー貯蓄ユニットと電気的に接続しており、外部電源が電力を正常に供給できないときにエネルギー貯蓄ユニットの電力を測定して、エネルギー貯蓄ユニットの電力が予定の臨界電力よりも低い場合には、読出し／書込み制御ユニットにリセット信号を転送して、読出し／書込み制御ユニットをリセットする電力測定ユニットと、を含む。【選択図】図２
0003170278.tif 000002
【実用新案登録請求の範囲】
【請求項１】
記憶ユニットと、
外部電源と電気的に接続しており、前記記憶ユニットの読出し／書込み操作を制御する読出し／書込み制御ユニットと、
エネルギー貯蓄ユニットと、
前記外部電源、前記記憶ユニット及び前記エネルギー貯蓄ユニットと電気的に接続しており、前記外部電源が電力を正常に供給しているときには、前記外部電源が前記エネルギー貯蓄ユニットを充電し、前記外部電源が電力を正常に供給できないときには、前記エネルギー貯蓄ユニットが前記記憶ユニットに電力を供給して、前記記憶ユニットの実行している読出し／書込み操作を完成できる電源切替ユニットと、
前記エネルギー貯蓄ユニットと電気的に接続しており、前記外部電源が電力を正常に供給できないときに前記エネルギー貯蓄ユニットの電力を測定して、前記エネルギー貯蓄ユニットの電力が予定の臨界電力よりも低い場合には、前記読出し／書込み制御ユニットにリセット信号を転送して、前記読出し／書込み制御ユニットをリセットする電力測定ユニットと、
を含むことを特徴とするデータ記憶装置。
【請求項２】
前記記憶ユニットは、フラッシュメモリ（Ｆｌａｓｈ  Ｍｅｍｏｒｙ）、ＲＡＭ（Ｒａｎｄｏｍ  Ａｃｃｅｓｓ  Ｍｅｍｏｒｙ）とＤＲＡＭ（Ｄｙｎａｍｉｃ  Ｒａｎｄｏｍ  Ａｃｃｅｓｓ  Ｍｅｍｏｒｙ）のうちの１つであることを特徴とする、請求項１に記載のデータ記憶装置。
【請求項３】
前記読出し／書込み制御ユニットは、マイクロ制御ユニット（Ｍｉｃｒｏ  Ｃｏｎｔｒｏｌｌｅｒ  Ｕｎｉｔ；ＭＣＵ）とＣＰＵ（Ｃｅｎｔｒａｌ  Ｐｒｏｃｅｓｓｉｎｇ  Ｕｎｉｔ）のうちの１つであることを特徴とする、請求項１に記載のデータ記憶装置。
【請求項４】
前記エネルギー貯蓄ユニットはコンデンサであることを特徴とする、請求項１に記載のデータ記憶装置。
【請求項５】
更に、電力変換ユニットを含み、前記外部電源は、前記電力変換ユニットを介して前記読出し／書込み制御ユニット及び前記電源切替ユニットと電気的に接続することを特徴とする、請求項１に記載のデータ記憶装置。
【考案の詳細な説明】
【技術分野】
【０００１】
本考案は、データ記憶装置に関し、特に、小型化を実現でき、電力が一時に中断しても、データが紛失しないデータ記憶装置に関するものである。
【背景技術】
【０００２】
科学技術の快速の進展により、電子製品は日常生活及び仕事に不可欠なものになった。データ記憶装置（例えばＵＳＢメモリやメモリーカード）は、コンピュータ、デジタルカメラやスマートフォンの利用上の不可欠なものの１つになった。しかし、電子製品がデータ記憶装置に対して読出し、又は書込んでいるときには、電力が中断すると、読出し又は書込んでいるデータが間違ったり、紛失したりすることがよくある。
【０００３】
従来のものは、データ記憶装置に大容量のコンデンサを設けて、前記コンデンサをデータ記憶ユニット及びマイクロ制御ユニットと電気的に接続することにより、電力が一時に中断したときに、前記コンデンサはデータ記憶ユニット及びマイクロ制御ユニットに電力を供給して、直前の読出し／書込み操作を完成できる。
【０００４】
しかしながら、大容量のコンデンサは、データ記憶ユニット及びマイクロ制御ユニットに電力を同時に供給することが必要であるため、体積を小型化することが困難であり、小型化のデータ記憶装置に適用することができない。
【考案の概要】
【考案が解決しようとする課題】
【０００５】
本考案の主な目的は、小型化を実現でき、電力が一時に中断しても、データが紛失しないデータ記憶装置を提供することにある。
【課題を解決するための手段】
【０００６】
本考案のデータ記憶装置によると、記憶ユニットと、
外部電源と電気的に接続しており、前記記憶ユニットの読出し／書込み操作を制御する読出し／書込み制御ユニットと、
エネルギー貯蓄ユニットと、
前記外部電源、前記記憶ユニット及び前記エネルギー貯蓄ユニットと電気的に接続しており、前記外部電源が電力を正常に供給しているときには、前記外部電源が前記エネルギー貯蓄ユニットを充電し、前記外部電源が電力を正常に供給できないときには、前記エネルギー貯蓄ユニットが前記記憶ユニットに電力を供給して、前記記憶ユニットの実行している読出し／書込み操作を完成できる電源切替ユニットと、
前記エネルギー貯蓄ユニットと電気的に接続しており、前記外部電源が電力を正常に供給できないときに前記エネルギー貯蓄ユニットの電力を測定して、前記エネルギー貯蓄ユニットの電力が予定の臨界電力よりも低い場合には、前記読出し／書込み制御ユニットにリセット信号を転送して、前記読出し／書込み制御ユニットをリセットする電力測定ユニットと、
を含むことを特徴とする。
【０００７】
本考案のデータ記憶装置によると、前記記憶ユニットは、フラッシュメモリ（Ｆｌａｓｈ  Ｍｅｍｏｒｙ）、ＲＡＭ（Ｒａｎｄｏｍ  Ａｃｃｅｓｓ  Ｍｅｍｏｒｙ）とＤＲＡＭ（Ｄｙｎａｍｉｃ  Ｒａｎｄｏｍ  Ａｃｃｅｓｓ  Ｍｅｍｏｒｙ）のうちの１つであることを特徴とする。
【０００８】
本考案のデータ記憶装置によると、前記読出し／書込み制御ユニットは、マイクロ制御ユニット（Ｍｉｃｒｏ  Ｃｏｎｔｒｏｌｌｅｒ  Ｕｎｉｔ；ＭＣＵ）とＣＰＵ（Ｃｅｎｔｒａｌ  Ｐｒｏｃｅｓｓｉｎｇ  Ｕｎｉｔ）のうちの１つであることを特徴とする。
【０００９】
本考案のデータ記憶装置によると、前記エネルギー貯蓄ユニットはコンデンサであることを特徴とする。
【００１０】
本考案のデータ記憶装置によると、更に、電力変換ユニットを含み、前記外部電源は、前記電力変換ユニットを介して前記読出し／書込み制御ユニット及び前記電源切替ユニットと電気的に接続することを特徴とする。
【考案の効果】
【００１１】
本考案のデータ記憶装置によれば、小型化を実現でき、電力が一時に中断しても、データが紛失しないという効果を有する。
【図面の簡単な説明】
【００１２】
【図１】本考案のデータ記憶装置に外部電源が電力を正常に供給している状態を示す模式図である。
【図２】本考案のデータ記憶装置に外部電源が電力を正常に供給できない状態を示す模式図である。
【考案を実施するための形態】
【００１３】
以下、本考案の実施の形態を図面に基づいて説明する。
まず、図１及び図２を参照する。図１は本考案のデータ記憶装置に外部電源が電力を正常に供給している状態を示す模式図であり、図２は本考案のデータ記憶装置に外部電源が電力を正常に供給できない状態を示す模式図である。本考案のデータ記憶装置１００は、記憶ユニット１１と、読出し／書込み制御ユニット１２と、エネルギー貯蓄ユニット１３と、電源切替ユニット１４と、電力測定ユニット１５と、を含む。本考案の一実施例では、記憶ユニット１１がコンデンサである。本考案の別の実施例では、記憶ユニットは、フラッシュメモリ（Ｆｌａｓｈ  Ｍｅｍｏｒｙ）、ＲＡＭ（Ｒａｎｄｏｍ  Ａｃｃｅｓｓ  Ｍｅｍｏｒｙ）とＤＲＡＭ（Ｄｙｎａｍｉｃ  Ｒａｎｄｏｍ  Ａｃｃｅｓｓ  Ｍｅｍｏｒｙ）のうちの１つである。
【００１４】
読出し／書込み制御ユニット１２は、外部電源２００と電気的に接続しており、外部電源２００からの電気的エネルギーＰ２を受けて、記憶ユニット１１の読出し／書込み操作を制御する。読出し／書込み操作というのは、読出し／書込み制御ユニット１２が読出し／書込みインストラクションＣＭＤを記憶ユニット１１に転送した後、データＳ１を記憶ユニット１１に転送し、又は記憶ユニット１１からデータＳ２を受信する。本考案の一実施例では、読出し／書込み制御ユニット１２がマイクロ制御ユニット（Ｍｉｃｒｏ  Ｃｏｎｔｒｏｌｌｅｒ  Ｕｎｉｔ；ＭＣＵ）とＣＰＵ（Ｃｅｎｔｒａｌ  Ｐｒｏｃｅｓｓｉｎｇ  Ｕｎｉｔ）のうちの１つである。
【００１５】
電源切替ユニット１４は、外部電源２００、記憶ユニット１１及びエネルギー貯蓄ユニット１３と電気的に接続している。外部電源２００が電力を正常に供給しているときに、電源切替ユニット１４は、外部電源２００からの電気的エネルギーＰ３を受けて、電気的エネルギーＰ４によりエネルギー貯蓄ユニット１３を充電し、そして電気的エネルギーＰ５により記憶ユニット１１を充電する。本考案の一実施例では、データ記憶装置１００は、更に、電力変換ユニット１６を含み、外部電源２００は、電力変換ユニット１６を介して読出し／書込み制御ユニット１２及び電源切替ユニット１４と電気的に接続する。これにより、電気的エネルギーＰ１は、読出し／書込み制御ユニット１２に合う電圧を有する電気的エネルギーＰ２及び電源切替ユニット１４に合う電圧を有する電気的エネルギーＰ３に変換される。
【００１６】
外部電源２００が電力を正常に供給できないときに、電源切替ユニット１４は、エネルギー貯蓄ユニット１３から電気的エネルギーＰ６を受けて、電気的エネルギーＰ７を記憶ユニット１１に供給する。これにより、記憶ユニット１１は実行している読出し／書込み操作を完成できる。読出し／書込み操作というのは、例えば記憶ユニット１１が読出し／書込み制御ユニット１２からデータＳ３を受信し、又はデータＳ４を読出し／書込み制御ユニット１２に転送する。
【００１７】
電力測定ユニット１５は、エネルギー貯蓄ユニット１３と電気的に接続しており、外部電源２００が電力を正常に供給できないときにエネルギー貯蓄ユニット１３の電力を測定して、エネルギー貯蓄ユニット１３の電力が予定の臨界電力よりも低い場合には、読出し／書込み制御ユニット１２にリセット信号ｒｅｓｅｔを転送して、読出し／書込み制御ユニット１２をリセットする。
【００１８】
上記の説明を纏めると、本考案のデータ記憶装置１００は、外部電源２００からの電力が中断したときにエネルギー貯蓄ユニット１３が記憶ユニット１１に電力を供給する。なお、記憶ユニット１１及び読出し／書込み制御ユニット１２を正常に稼動するために、エネルギー貯蓄ユニット１３の電力が不足となる前に、電力測定ユニット１５がリセット信号ｒｅｓｅｔを読出し／書込み制御ユニット１２に転送する。このように、エネルギー貯蓄ユニット１３の体積を小型化でき、ひいてはデータ記憶装置１００を小型化することもできる。
【００１９】
このように、本考案が、特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【産業上の利用可能性】
【００２０】
本考案は、データ記憶装置に適用することができる。
【符号の説明】
【００２１】
１１：記憶ユニット
１２：読出し／書込み制御ユニット
１３：エネルギー貯蓄ユニット
１４：電源切替ユニット
１５：電力測定ユニット
１６：電力変換ユニット
１００：データ記憶装置
２００：外部電源
ＣＭＤ：読出し／書込みインストラクション
Ｐ１，Ｐ２，Ｐ３，Ｐ４，Ｐ５，Ｐ６，Ｐ７：電気的エネルギー
Ｓ１，Ｓ２，Ｓ３，Ｓ４：データ
ｒｅｓｅｔ：リセット信号
【図１】
0003170278.tif 000003
【図２】
0003170278.tif 000004